(57)【要約】【課題】湯水をシャワー状に吐水可能な洗浄器具において、構成を簡易にすることでコストを削減するとともに、効果的に洗浄を行えるようにする。【解決手段】湯水をシャワー状に吐水する吐水手段（吐水管２）を、装着手段（保持板４）によって手のひらに装着できるようにし、洗浄を行う際に両手を自由に使えるようにするとともに、任意の場所を湯水で流すことができるようにする。【選択図】図１
2007075503.tif 000002
【特許請求の範囲】
【請求項１】
外部から供給される湯水をシャワー状に吐水する吐水手段と、
該吐水手段を手のひらに装着する装着手段と、
を備えることを特徴とする洗浄器具。
【請求項２】
前記吐水手段は、側面に複数の吐水孔が形成され、湯水を供給する供給管に少なくとも一端が接続されて環状に配された吐水管を備え、
前記装着手段は、
手のひらに配され、前記吐水管を保持する保持板と、
該保持板、又は、前記保持板と前記吐水管とにより形成され、指を挿通可能な挿通部と、
環状の前記供給管の環を縮めるように結束する結束手段と
を備えてなり、
手首を環状の前記供給管の環に通した状態で前記保持板を手のひらに配設し、
前記挿通部に指を通すとともに、手の甲側において前記結束手段により環状の前記供給管の環を縮めるように結束することで前記保持板を手のひらに固定するようにしたことを特徴とする請求項１に記載の洗浄器具。
【請求項３】
前記挿通部は、前記吐水管に、前記保持板の指側の端部より外側に延出するとともに手首側へ折り返した折り返し部を設けることで形成され、
前記吐水管は、前記折返し部を挟んで端部に近い一方は前記保持板に対してスライド可能に保持され、他方は前記保持板に固定されていることを特徴とする請求項２に記載の洗浄器具。
【請求項４】
前記装着手段は、手袋により構成され、
前記手袋の手のひら部分に前記吐水手段が取り付けられていることを特徴とする請求項１に記載の洗浄器具。
【発明の詳細な説明】
【技術分野】
【０００１】
本発明は、湯水をシャワー状に吐水可能な洗浄器具に関する。
【背景技術】
【０００２】
従来、シャワーを用いて洗浄作業を行う際には、シャワーヘッドを壁面等に取り付けた状態で使用するか、一方の手で持って使用していた。
特に、入浴の介助の際には、一方の手で被介助者の体を支えながら、他方の手で体を洗う必要があり、このような場合には、シャワーヘッドを手で持って使用することが困難である。また、シャワーヘッドを壁面に取り付けた状態では外部に水が飛散してしまうとともに、目的の個所を湯水で流すことが困難である。
このような不都合を解消するために、被介助者の体を収容する袋を備えるとともに、袋の内側に向けて複数の手袋を取り付け、水が外部に飛散しないように袋の内部でシャワーを用いて洗浄できるようにした簡易シャワー洗浄袋が提案されている（例えば、特許文献１参照）。
【特許文献１】特開平８−３３６９６号公報
【発明の開示】
【発明が解決しようとする課題】
【０００３】
しかしながら、特許文献１に示されたような装置では装置自体が大掛かりであり、製造のコストがかかる。
また、複数の手袋を取り付けて洗浄を行うようにしているが、手を挿入できる個所が限られているため洗浄しにくい個所ができてしまう。
【０００４】
本発明の課題は、湯水をシャワー状に吐水可能な洗浄器具において、効果的に洗浄を行えるようにするとともに、構成を簡易にすることで安価に製造可能にすることである。
【課題を解決するための手段】
【０００５】
以上の課題を解決するため、請求項１に記載の発明は、外部から供給される湯水をシャワー状に吐水する吐水手段と、
該吐水手段を手のひらに装着する装着手段と、
を備えることを特徴とする。
【０００６】
請求項１に記載の発明によれば、湯水をシャワー状に吐水する吐水手段を手のひらに装着する装着手段を備えるので、洗浄を行う際に、両手を自由に使えるとともに、任意の場所を湯水で流すことができることとなって、効果的に洗浄を行える。また、吐水手段と装着手段により構成されているため、構成が簡易となって安価に製造することが可能である。
【０００７】
請求項２に記載の発明は、請求項１に記載の洗浄器具であって、前記吐水手段は、側面に複数の吐水孔が形成され、湯水を供給する供給管に少なくとも一端が接続されて環状に配された吐水管を備え、
前記装着手段は、
手のひらに配され、前記吐水管を保持する保持板と、
該保持板、又は、前記保持板と前記吐水管とにより形成され、指を挿通可能な挿通部と、
環状の前記供給管の環を縮めるように結束する結束手段と
を備えてなり、
手首を環状の前記供給管の環に通した状態で前記保持板を手のひらに配設し、
前記挿通部に指を通すとともに、手の甲側において前記結束手段により環状の前記供給管の環を縮めるように結束することで前記保持板を手のひらに固定するようにしたことを特徴とする。
【０００８】
請求項２に記載の発明によれば、手首を環状の供給管の環に通した状態で保持板を手のひらに配設し、挿通部に指を通すとともに、手の甲側において結束手段により環状の供給管の環を縮めるように結束することで保持板を手のひらに固定するようにしたので、簡単かつ確実に吐水手段を手に装着することができる。
また、吐水手段を直接手に装着できるようにしたので構成が簡単になり、安価に製造することが可能となるとともに、洗浄する対象物に手で触れて洗浄を行うことができる。
【０００９】
請求項３に記載の発明は、請求項２に記載の洗浄器具であって、前記挿通部は、前記吐水管に、前記保持板の指側の端部より外側に延出するとともに手首側へ折り返した折り返し部を設けることで形成され、
前記吐水管は、前記折返し部を挟んで端部に近い一方は前記保持板に対してスライド可能に保持され、他方は前記保持板に固定されていることを特徴とする。
【００１０】
請求項３に記載の発明によれば、挿通部は、吐水管に、保持板の指側の端部より外側に延出するとともに手首側へ折り返した折り返し部を設けることで形成されるので、保持板に挿通部を形成する別部材を設ける必要がなく、構成を簡略化することができるとともにコストを削減できる。
また、吐水管は、折返し部を挟んで端部に近い一方は保持板に対してスライド可能に保持され、他方は保持板に固定されているので、挿通部の内径を変化させることができ、挿通部の内径を広げれば装着が容易になるとともに、装着後に挿通部の内径を縮めれば使用中に脱落することがない。
【００１１】
請求項４に記載の発明は、請求項１に記載の洗浄器具であって、前記装着手段は、手袋により構成され、
前記手袋の手のひら部分に前記吐水手段が取り付けられていることを特徴とする。
【００１２】
請求項４に記載の発明によれば、簡単に吐水手段を手のひらに装着できる。また、例えば、手袋を不透水性の材質からなるものとすれば、特に汚物の洗浄の際に手を汚すことなく洗浄作業を行うことができる。
【発明の効果】
【００１３】
本発明によれば、湯水をシャワー状に吐水する吐水手段を手のひらに装着する装着手段を備えるので、洗浄を行う際に、両手を自由に使えるとともに、任意の場所を湯水で流すことができることとなって、効果的に洗浄を行える。また、吐水手段と装着手段により構成されているため、構成が簡易となって安価に製造することが可能である。
【発明を実施するための最良の形態】
【００１４】
以下、この発明の実施形態について図面を参照して説明する。
図１、２に示すように、この洗浄器具１は、側面に複数の吐水孔３，３，…形成された一本の吐水管２と、この吐水管２取り付けられた保持板４を有する。
【００１５】
この吐水管２の両端は、外部にある湯水の供給装置（図示略）に接続された供給管５の先端に、二股ジョイント６を介して接続されており、吐水管２は供給管５の先端に環状に配されている。なお、供給管５は、例えば、一般的なシャワーのシャワーヘッドを取り外したものや、水道に接続されたホースである。これにより、湯水の供給装置から供給される湯水が供給管５を通って吐水管２に至り、吐水孔３，３，…からシャワー状に吐水される。すなわち、複数の吐水孔３，３，…を備える吐水管２が、外部から供給される湯水をシャワー状に吐水する吐水手段をなす。
【００１６】
吐水管２における供給管５との接続部分の近傍には、二股ジョイント６に接続した吐水管２の両端側部分を束ねる環状の結束部材７が取り付けられている。この結束部材７は、二本の吐水管２を束ねるように取り付けられ、吐水管２に沿って移動可能とされているが、吐水管２を締め付けるように取り付けられていて、容易には移動しないようになっている。
【００１７】
そしてこの吐水管２は、手のひらに配される保持板４の一面に、その一部が取り付けられている。この保持板４は、手のひらに収まる程度の大きさを有する略矩形状の板材であって、軟質材料（例えば、ゴムや合成樹脂）からなる。
【００１８】
供給管５から二方向に分かれるように取り付けられた吐水管２は、供給管２に接続された端部から所定の距離をおいて保持板４の手首側の端部に至り、さらに対向する指側の端部へ向かって延在するように取り付けられている。なお、この部分は、吐水管２の延在方向に沿って移動可能となるように、保持板４上に両端が固定されたアーチ状の保持帯８，８，…を貫通させることで取り付けられている。
【００１９】
指側の端部においては、該端部より外側に形成された折り返し部９で手首側へ折り返して保持板４上に戻り、手首側へ向かって延在するように取り付けられ、保持板４上における手首側の端部近傍に、ちょうど環状の吐水管２の中央が位置するように配されている。なお、この部分は保持板４上に固定されている。
【００２０】
すなわち、環状の吐水管２は略Ｍ字状になるように配され、折り返し部９のうち、指側にある二ヶ所の折り返し部９は、保持板４の端部よりも外側に位置している。この折り返し部９と保持板４とにより、指を挿通可能な挿通部１０が二ヶ所形成されることとなる。そして、吐水管２は、挿通部１０を形成する折り返し部９に至る一方が、保持板４上において延在方向に沿ってスライド可能に保持され、他方が保持板４上に固定されており、スライド可能に保持された一方を手首方向に引くことで挿通部１０の内径を縮めることができるようになっている。
【００２１】
以上のような構成を有する洗浄器具１を手に装着する際には、まず、供給管５から二股に分かれた吐水管２が保持板４の手首側の端部に接続することで形成される輪の中に手を挿入する。そして、保持板４の吐水管２が取り付けられていない面を手のひらに接するように配するとともに、挿通部１０に指を挿通する。この状態で保持板４の手首側の端部から延出した吐水管２を引っ張り、挿通部１０の内径を縮めることで指に密着させる。さらに、手の甲側において、供給管５から二方向に分かれた吐水管２を結束する結束手段７を、保持板４側に向かってスライドさせる。
【００２２】
これにより、保持板４の指側は挿通部１０に挿通した指に固定され、手首側は吐水管２を介して保持板４と結束部材７により手を挟むように締め付けることで固定されるようになり、吐水管２を備える保持板４が手のひらに固定される。すなわち、保持板４と挿通部１０および結束部材７が、吐水手段をなす吐水管２を手のひらに装着する装着手段となる。この状態で供給管５から湯水を供給すれば、吐水管２の吐水孔３，３，…から湯水がシャワー状に吐水される。
【００２３】
なお、吐水管２は供給管５の先端に環状に取り付けるとしたが、これに限られるものではなく、供給管５の先端に一端が閉鎖した供給管２を二本取り付けるようにしても良い。
また、吐水管２の配設態様は上述した略Ｍ字状以外でも良い。
また、指を挿通する挿通部１０は、吐水管２で形成しなくても良く、保持板４に指を挿通可能な別部材を設けたり、保持板４自体に穴をあけたりすることで形成しても良い。さらに、挿通部１０の数も２つに限られるものではない。
【００２４】
次に、図３、４を参照して、上述のような洗浄器具の変形例について説明する。なお、以下の変形例では、上述の洗浄器具１と同様の構成については、同じ符号を付して説明を省略する。
【００２５】
本変形例の洗浄器具１は、装着手段として手袋１１を用い、手袋１１の手のひら部分に吐水手段としての吐水部材１２が取り付けられている。この吐水部材１２は、図４に示すように、不透水性の素材（例えば、ゴム、ビニール）からなり、内部に湯水を通す空間１２ａを備える袋状の部材であって、手袋１１に取り付けられた面と対向する面に湯水をシャワー状に吐水するための空間１２ａに連通した複数の孔１３，１３，…が形成されている。また、図３に示すように、この吐水部材１２の手首側には、外部にある湯水の供給装置（図示略）に接続された供給管５が接続している。
【００２６】
このような構成を有する洗浄器具１によれば、手袋１１を装着するだけで吐水部材１２が手のひらに配設され、両手で洗浄作業を行うことができるようになる。また、手袋１１を不透水性の素材（例えば、ゴム、ビニール）からなるものとすれば、手を汚さずに洗浄作業を行うことができる。
【００２７】
なお、この吐水部材１２の形状はこれに限られるものではなく、例えば、手袋１１の手のひら側における、手のひら部分および指部分を覆うことのできる形状にし、手のひら側全体から湯水が出るように構成しても良い。また、以上のような構成の吐水部材１２は、手袋１１を介してではなく、直接手に取り付けられるようにしても良い。
また、装着手段としての手袋１１に、上述した吐水管２を配設して湯水がシャワー状に吐水するようにしても良い。
【００２８】
次に図５を参照して、吐水部材の変形例について説明する。
この吐水部材１４は、上述した吐水部材１２と同様に、内部に湯水を通す空間１６を備え、一側面に空間１６に連通する吐水孔１７，１７，…が形成されている。さらに、吐水孔１７，１７，…が形成された一側面には、軟質な合成樹脂からなる複数の突起部１５，１５，…が形成されている。そして、この吐水部材１４の空間１６内に、外部の供給装置から湯水が供給され、吐水孔１７，１７，…から湯水がシャワー状に吐水されるようになっている。
【００２９】
この吐水部材１４は、適当な装着手段により手に直接取り付けるか、上述した手袋１１の手のひら部分に取り付けることにより手のひらに装着する。これにより、例えば、洗髪の際に、湯水で洗い流すと同時に突起部１５，１５，…によってマッサージを行うことができる。
【００３０】
なお、突起部１５，１５，…の材質は、軟質の合成樹脂に限られるものではない。また、突起部１５，１５，…の形状は任意の形状でよく、ブラシ状にしてもよい。
【図面の簡単な説明】
【００３１】
【図１】本発明を適用した洗浄器具を手に装着した状態を示す図であって、手のひら側から見た図である。
【図２】洗浄器具を手に装着した状態を示す図であって、手の側方から見た図である。
【図３】洗浄器具の変形例を示す図である。
【図４】図３に示す洗浄器具における吐水部材のＡ−Ａ断面図である。
【図５】吐水部材の変形例を示す断面図である。
【符号の説明】
【００３２】
１    洗浄器具
２    吐水管
３    吐水孔
４    保持板
５    供給管
７    結束手段
９    折り返し部
１０  挿通部
１１  手袋
【図１】
2007075503.tif 000003
【図２】
2007075503.tif 000004
【図３】
2007075503.tif 000005
【図４】
2007075503.tif 000006
【図５】
2007075503.tif 000007